(57)【要約】【課題】長期的に、健康の増進を図ると共に、安全対策の向上にも寄与する履物およびその中敷き部材の提供する。【解決手段】少なくとも一部が鉄シリサイドである粉末状の人工鉱石と、前記人工鉱石を混練してなる樹脂とを少なくとも一部に含んでいる履物の中敷き部材。【選択図】図１
2010200784.tif 000002
【特許請求の範囲】
【請求項１】
少なくとも一部が鉄シリサイドである粉末状の人工鉱石と、
前記人工鉱石を混練してなる樹脂と、
を少なくとも一部に含んでいる、履物の中敷き部材。
【請求項２】
請求項１に記載の履物の中敷き部材において、
前記人工鉱石は、珪素化合物に、鉄、アルミニウム、カルシウムを添加したものの溶融物の粉末である、履物の中敷き部材。
【請求項３】
請求項１または請求項２に記載の履物の中敷き部材において、
前記樹脂は、発泡体である、履物の中敷き部材。
【請求項４】
請求項１乃至３のいずれか１つに記載の履物の中敷き部材において、
前記人工鉱石を含む樹脂シートと、
前記人工鉱石を含まない樹脂シートと
を積層して構成されている、履物の中敷き部材。
【請求項５】
請求項１乃至４のいずれか１つに記載の履物の中敷き部材を備えている履物。
【請求項６】
請求項５に記載の履物において、
ナースシューズまたはナースサンダルとして機能する、履物。
【請求項７】
請求項５に記載の履物において、
スポーツシューズとして機能する、履物。
【発明の詳細な説明】
【技術分野】
【０００１】
本発明は、靴、サンダルなどの履物およびその中敷き部材に係り、特に健康増進対策や転倒を防止する安全対策に関する。
【背景技術】
【０００２】
従来より、人間が使用する履物に関して、健康増進のための工夫が施されていたり、転倒防止などの安全対策向上のための工夫が施されていたりしている。
【０００３】
人体の足が健康を維持する上で重要なことは、経験的に知られている事実である。そこで、健康の増進を図るための靴の中敷き等について、多くの提案がなされている。たとえば、特許文献１には、履物の中敷きに粒状の物質を充填することにより、足の裏のツボを刺激して、人体の健康の増進を図ることが記載されている。また、特許文献２には、足の指の位置を安定化させる形状の中敷きにより、外反母趾を防止することが開示されている。
【０００４】
また、路上での転倒事故、特に雪道での転倒事故が多いことから、路上に積もった雪を溶かすことについて、多くの提案がなされている。たとえば、特許文献３には、雪道などでの転倒を防止するために路上に積もった雪を溶かすことができる積層シートの技術が開示されており、その積層シートで靴ソール形成することが開示されている。
【先行技術文献】
【特許文献】
【０００５】
【特許文献１】特開２００５−２１１０９８号公報
【特許文献２】特開平９−１４０４０５号公報
【特許文献３】特開２００２−２７３８３３号公報
【発明の概要】
【発明が解決しようとする課題】
【０００６】
上記特許文献１および２の履物の中敷きは、形状面から人体の健康を増進しようとするものであるが、使用していくと、中敷きの形状が初期形状から崩れていくので、必ずしも所望の目的を達成することができないこともある。反面、形状を一定に保持しようとすると、足に加わる負担が大きくなるおそれがあった。
【０００７】
上記特許文献３の靴ソールは、雪や氷の分子などを遠赤外線により運動させ、そのエネルギーを熱として放出させることで、融雪時間の短縮化を図っているが、靴ソールは、融雪用以外の用途で適用された技術であることから、雪道での転倒を防止するために路上に積もった雪を積極的に溶かすものではなかった。
【０００８】
本発明の目的は、長期的に、健康の増進を図ると共に、安全対策の向上にも寄与する履物およびその中敷き部材の提供を図ることにある。
【課題を解決するための手段】
【０００９】
そこで、かかる課題を解決するために、請求項１に記載の発明は、履物の中敷き部材について、少なくとも一部が鉄シリサイドである粉末状の人工鉱石と、前記人工鉱石を混練してなる樹脂とを少なくとも一部に含んでいるものである。
【００１０】
また、請求項２に記載の発明は、請求項１に記載の発明において、前記人工鉱石は、珪素化合物に、鉄、アルミニウム、カルシウムを添加したものの溶融物の粉末であるものである。
【００１１】
また、請求項３に記載の発明は、請求項１又は請求項２に記載の発明において、前記樹脂は、発泡体である。
【００１２】
また、請求項４に記載の発明は、請求項１乃至３のいずれか１つに記載の発明において、前記人工鉱石を含む樹脂シートと、前記人工鉱石を含まない樹脂シートとを積層して構成したものである。
【００１３】
また、請求項５に記載の発明は、請求項１乃至４のいずれか１つに記載の履物の中敷き部材を備えている履物である。
【００１４】
また、請求項６に記載の発明は、請求項５に記載の発明において、ナースシューズまたはナースサンダルとして機能する履物である。
【００１５】
また、請求項７に記載の発明は、請求項５に記載の発明において、スポーツシューズとして機能する履物である。
【発明の効果】
【００１６】
請求項１に記載の発明によれば、外部からテラヘルツ領域の電磁波（以下、「テラヘルツ波」という。テラヘルツ波は、たとえば、遠赤外線などがある。）を受けたときに、鉄シリサイドを含む人工鉱石が発するテラヘルツ波によって、人体の足内の水の分子が共振し、クラスターが小さくなる結果、血流と細胞が活性化される。その結果、健康の増進を図ることができる。この健康増進結果は、従来の中敷き部材のように形状面から健康増進を図るものではなく、内部構造から得られるので、長期間使用しても型くずれによる効果の低減を招くことがない。さらには、雪や氷の分子などを遠赤外線により運動させ、そのエネルギーを熱として放出させることで、融雪時間の短縮化を図ることができ、路上に積もった雪を効率的に溶かすことで雪道での転倒を防止するという安全対策の向上にも寄与する効果がある。
【００１７】
また、請求項２に記載の発明によれば、人工鉱石が珪素化合物に、鉄、アルミニウム、カルシウムを添加したものの溶融物の粉末であることにより、特に顕著な健康増進効果を得ることができると共に、雪や氷の分子などを遠赤外線により運動させ、そのエネルギーを熱として更に効率的に放出させることで、融雪時間の大幅な短縮化を図ることができ、路上に積もった雪をより効率的に溶かすことで雪道での転倒を防止するという安全対策の更なる向上にも寄与する効果がある。
【００１８】
また、請求項３に記載の発明によれば、樹脂が発泡体であることにより、気泡の部分ではテラヘルツ波が吸収されないことから、外部から遠赤外線などの電磁波を受けたときのテラヘルツ波の発生効率が高くなり、かつ、テラヘルツ波を外部へ放出する効率も高くなる。また、断熱性がよいので、保温効果によっても人体の疲労回復を促進する。さらに、足に局所的な圧力が加わらないように、クッション性のよい中敷き部材が得られるので、疲労を防ぐ効果があり、総合的に健康増進効果が向上する。また、雪や氷の分子などを遠赤外線により運動させ、そのエネルギーを熱として更に効率的に放出させることで、融雪時間の大幅な短縮化を図ることができ、路上に積もった雪をより効率的に溶かすことで雪道での転倒を防止するという安全対策の更なる向上にも寄与する効果がある。
【００１９】
また、請求項４に記載の発明によれば、人工鉱石を含んでいる樹脂シートと、人工鉱石を含んでいない樹脂シートとを積層した構造を採用することで、高価な人工鉱石の使用量を少なくして製造コストを低減しつつ、健康増進効果を維持することができると共に、雪や氷の分子などを遠赤外線により運動させ、そのエネルギーを熱として放出させることで、融雪時間の短縮化を図ることができ、路上に積もった雪を効率的に溶かすことで雪道での転倒を防止するという安全対策の向上にも寄与する効果がある。
【００２０】
また、請求項５に記載の発明によれば、本発明の中敷き部材を備えた履物により、上述の効果を発揮する履物が得られる。
【００２１】
また、請求項６に記載の発明によれば、ナースシューズまたはナースサンダルとして用いることにより、特に顕著な疲労回復効果が得られる。
【００２２】
また、請求項７に記載の発明によれば、スポーツシューズとして用いることにより、特に顕著な疲労回復効果が得られる。
【図面の簡単な説明】
【００２３】
【図１】第１実施形態に係る履物の中敷き部材の構造を示す縦断面図である。
【図２】第１実施形態の変形例１に係る履物の中敷き部材の構造を示す縦断面図である。
【図３】第１実施形態の変形例２に係る履物の中敷き部材の構造を示す縦断面図である。
【図４】第２実施形態に係る履物の側面図である。
【図５】第３実施形態に係る履物の側面図である。
【発明を実施するための形態】
【００２４】
［１．第１実施形態］
［１．１．１．履物の中敷き部材の概略構造］
図１は、本発明の第１実施形態に係る履物の中敷き部材１０Ａの構造を示す縦断面図である。本実施形態の中敷き部材１０Ａは、図１に示すように、たとえば、靴などの履物に使用されるもので、下部中敷き１３（人工鉱石を含んでいない樹脂シート）の上に、上部中敷きとなる鉱石シート１５（人工鉱石を含んでいる樹脂シート）を積層したものである。
【００２５】
ここで、上記鉱石シート１５は、気泡ＢＬを包含する発泡樹脂ＲＳと、少なくとも一部が鉄シリサイドである人工鉱石ＭＳとを含んでいる。本実施形態においては、発泡樹脂ＲＳは、エチレンビニルアセテート系の樹脂架橋発泡体である。そして、人工鉱石ＭＳは、後述するように、珪素化合物と、鉄、アルミニウム、カルシウムとを溶融したものの粉末である。
また、下部中敷き１３は、鉱石シート１５と同じ材質の発泡樹脂であって、人工鉱石ＭＳを含んでいない発泡樹脂によって形成されている。
鉱石シート１５の厚みは、全体的にほぼ均一で、１ｍｍ〜２ｍｍ程度である。また、鉱石シート１５と下部中敷き１３との合計の厚みは、足の先端側で薄く、後端側で厚くなっており、最大厚み部で、５ｍｍ〜１０ｍｍ程度である。
【００２６】
［１．１．２．人工鉱石ＭＳの製造方法］
本実施形態の人工鉱石ＭＳは、特許３７６６３８５号公報に記載されているいずれかの実施例によって製造されたものである。一例を挙げると、以下の方法がある。
【００２７】
ほぼ真空状態下で１６５０℃〜１６８０℃に加熱した真空溶融炉に８０重量％の粉末状の珪素を投入し、その後、５重量％の粉末状の鉄と５重量％の粉末状のアルミニウムと５重量％のカルシウムとを３〜５分間隔で順に投入するとともに撹拌混合し、その後、真空溶融炉から溶融物を取出し、常温中で自然冷却することによって塊状の人工鉱石を生成する。
【００２８】
その後、上記塊状の人工鉱石を、ほぼ真空状態下で１７５０℃〜１８００℃に加熱した真空溶融炉で再度溶融し、その後、溶融物を取出し、常温中で自然冷却することによって塊状の人工鉱石を生成する。
【００２９】
さらに、この塊状の人工鉱石を、略真空状態下で２０００℃〜２０５０℃に加熱した真空溶融炉で再度溶融し、その後、溶融物を取出し、常温中で自然冷却することによって塊状の人工鉱石を生成する。
【００３０】
このように、溶融後に冷却し、さらに高温で溶融するといったように、徐々に高温下で溶融を繰り返し行うのである。
その後、塊状の人工鉱石をクラッシャーで粉砕し、さらに、ボールミル等を用いて、粒径が１０μｍ〜５０μｍ程度の粉末状の人工鉱石ＭＳに仕上げる。
【００３１】
［１．１．３．発泡樹脂体の製造方法］
まず、ＥＶＡ（エチレンビニルアセテート）樹脂と人工鉱石との混合物を１００重量部準備する。この混合物中における人工鉱石の割合は、５〜２０重量％である。
次に、ＥＶＡ樹脂と人工鉱石との混合物１００重量部に対して以下の材料を加える。
発泡剤：        ジカルボンアミド（ＡＣ）        ５重量部
発泡助剤：      酸化亜鉛                    ０．７重量部
滑材：          ステアリン酸                ０．８重量部
架橋材：        ジクミルパーオキサイド      ０．７重量部
そして、これらを１００℃〜１１０℃ニーダーによって混練した後に、圧延ロールによってシート状の未架橋未発泡の発泡性組成物を得た。
【００３２】
次に、この発泡性組成物を所定の形状に裁断して、金型に充填し、１６０℃で、１００ｋｇ重／ｃｍ２（約１０ＭＰａ）で加熱加圧した後に、圧力を急速に開放し、厚みが１ｍｍ〜２ｍｍ程度の独立気泡の人工鉱石含有の架橋発泡シート（鉱石シート１５）を得た。
【００３３】
また、上記ＥＶＡ樹脂に人工鉱石を添加しないもの１００重量部に対して、発泡剤、発泡助剤、滑材および架橋剤を上記と同じ割合で添加し、同様の工程で架橋発泡シート（下部中敷き１３）を得た。
【００３４】
その後、上記鉱石シート１５と下部中敷き１３とを接着剤で貼り合わせることにより、図１に示す構造を有する中敷き部材１０Ａを得た。
ただし、本発明の発泡樹脂体の樹脂材料や製造工程は、上述した内容に限られることはなく、汎用されている他の樹脂や製造方法を採用することができる。
【００３５】
本実施形態によると、履物の中敷き部材１０Ａは、少なくとも一部が鉄シリサイドである人工鉱石ＭＳを含んでいるが、鉄シリサイドは、外部からの電磁波によってテラヘルツ波を発していることが知られている。テラヘルツ波は、０．１ＴＨｚ〜１０ＴＨｚ程度の周波数の電磁波である。そして、この周波数は、人体を構成している水の分子の固有振動数に近いといわれている。
【００３６】
一方、テラヘルツ波は、種々の材料に対する透過特性に優れているが、Ｘ線のように生体の一部を破壊、損傷することはないので、人工鉱石によって人体に悪影響を及ぼすことはないと考えられる。
【００３７】
以上のことから、本発明者は、以下の点に着目した。
すなわち、外部からテラヘルツ領域の電磁波（テラヘルツ波）を受けたときに、人工鉱石ＭＳが発するテラヘルツ波によって、人体の足内の水の分子が共振すると、クラスターが小さくなる結果、血流と細胞が活性化されることが期待できる。血流と細胞が活性化された結果、細胞内の老廃物をすばやく排出でき、健康の維持増進を図ることができる。また、中敷き部材１０Ａは、気泡ＢＬを有することから、人工鉱石ＭＳから発せられるテラヘルツ波により、気泡ＢＬ中の水蒸気の水分子が共振し、そのエネルギーが熱として放出されることで気泡ＢＬ中の空気が暖められて膨張し、中敷き部材１０Ａの人体の足裏側表面に凹凸が形成される。この凹凸による人体の足裏への指圧効果によっても血流と細胞が活性化され、細胞内の老廃物をすばやく排出でき、健康の維持増進を図ることができる。
【００３８】
また、雪や氷の水分子などをテラヘルツ波により共振させ、そのエネルギーを熱として更に効率的に放出させることで、融雪時間の大幅な短縮化を図ることができ、路上に積もった雪をより効率的に溶かすことで、靴底の凸部と雪が溶けたことによって形成される凹部とが係着し、滑ることがなくなる。その結果、雪道での転倒事故を防止するという安全性を向上できる。
【００３９】
そこで、本発明では、履物の中敷き部材の少なくとも一部に鉄シリサイドを含む人工鉱石を混練することにより、人工鉱石ＭＳが発するテラヘルツ波によって、人体の足内の水の分子が共振すると、クラスターが小さくなる結果、または人工鉱石ＭＳから発せられるテラヘルツ波により、気泡ＢＬ中の水蒸気の水分子が共振し、そのエネルギーが熱として放出されることで気泡ＢＬ中の空気が暖められて膨張し、中敷き部材１０Ａの人体の足裏側表面に形成される凹凸による指圧効果により、血流と細胞が活性化され細胞内の老廃物をすばやく排出することで健康の維持増進を図っている。また、雪や氷の水分子などをテラヘルツ波により共振させ、そのエネルギーを熱として更に効率的に放出させることで、融雪時間の大幅な短縮化を図ることができ、路上に積もった雪をより効率的に溶かすことで、靴底の凸部と雪が溶けたことによって形成される凹部とが係着することで滑ることをなくし、転倒事故を防ぐような安全対策の向上を図っている。人体の足には、特に全体重が加わり、かつ、人によっては、非常に長時間立ち仕事をすることがある。したがって、本発明の履物の中敷き部材は、長時間の立ち仕事に従事する看護師のためのナースシューズまたはナースサンダルや、ランニングシューズ、ウォーキングシューズ、野球のスパイクシューズ、サッカーシューズ、バスケットシューズ、テニスシューズ、その他のスポーツシューズ、などに用いることで、顕著な効果を発揮することができる。
【００４０】
しかも、長期の使用によって中敷き部材１０Ａの形状が変形しても、人工鉱石ＭＳのテラヘルツ波発生作用はほとんど劣化しないので、健康の維持増進や安全対策の向上といった効果を長く持続することができる。特に、人工鉱石を含んでいる樹脂シートである鉱石シート１５と、人工鉱石を含んでいない樹脂シートである下部中敷き１３とを積層した構造を採用することにより、高価な人工鉱石ＭＳの使用量を少なくして、製造コストの低減を図りつつ、健康増進効果及び安全性の向上を図ることができる効果を維持することができる。
【００４１】
［１．２．第１実施形態の変形例１］
図２は、第１実施形態の変形例１に係る履物の中敷き部材１０Ｂの構造を示す縦断面図である。本変形例の中敷き部材１０Ｂは、図２に示すように、上部中敷き１１と、下部中敷き１３との間に、鉱石シート１５を介在させたものである。そして、本変形例においても、鉱石シート１５は、気泡ＢＬを包含する発泡樹脂ＲＳと、少なくとも一部が鉄シリサイドである人工鉱石ＭＳとを含んでおり、発泡樹脂ＲＳは、エチレンビニルアセテート系の樹脂架橋発泡体である。また、人工鉱石ＭＳは、第１実施形態と同様に、珪素化合物を溶融させた後に、鉄、アルミニウム、カルシウムを添加し、その後に冷却し、その後、さらに高温で再度溶融して形成されたものである。
【００４２】
また、上部中敷き１１および下部中敷き１３は、鉱石シート１５と同じ材質の発泡樹脂であって、人工鉱石ＭＳを含んでいない発泡樹脂によって形成されている。鉱石シート１５の厚みは、第１実施形態と同じであり、上部中敷き１１、鉱石シート１５および下部中敷き１３の合計の厚みも、第１実施形態と同じである。
【００４３】
この変形例１に係る中敷き部材１０Ｂによっても、中敷き部材１０Ｂの一部に人工鉱石を混練することにより、前述の第１実施形態と同様に健康の維持増進及び安全性の向上を図ることができる。そして、長時間の立ち仕事に従事する看護師のためのナースシューズまたはナースサンダルや、ランニングシューズ、ウォーキングシューズ、野球のスパイクシューズ、サッカーシューズ、バスケットシューズ、テニスシューズ、その他のスポーツシューズ、などに用いることで、顕著な効果を発揮することができる。
【００４４】
更に、中敷き部材１０Ｂは、上部中敷き１１と、下部中敷き１３との間に、鉱石シート１５を介在させたことから、人工鉱石ＭＳを含有する鉱石シート１５が擦り減り劣化することを防ぐことができる。その結果、本変形例が有する健康の維持増進及び安全性の向上などの各効果を長期間にわたり維持することができる。
【００４５】
［１．３．第１実施形態の変形例２］
図３は、第１実施形態の変形例２に係る履物の中敷き部材１０Ｃの構造を示す縦断面図である。本変形例の中敷き部材１０Ｃは、図３に示すように、上部中敷き１１と中央中敷き１２との間、および中央中敷き１２と下部中敷き１３との間に、それぞれ鉱石シート１５を介在させている。
【００４６】
そして、各鉱石シート１５が、気泡ＢＬを包含する発泡樹脂ＲＳと、少なくとも一部が鉄シリサイドである人工鉱石ＭＳとを含んでおり、発泡樹脂ＲＳは、エチレンビニルアセテート系の樹脂架橋発泡体である。また、人工鉱石ＭＳは、第１実施形態と同様に、珪素化合物を溶融させた後に、鉄、アルミニウム、カルシウムを添加し、その後に冷却し、その後、さらに高温で再度溶融して形成されたものである。
鉱石シート１５の厚みは、第１実施形態と同じであり、上部中敷き１１、各鉱石シート１５、中央中敷き１２および下部中敷き１３の合計の厚みは、第１実施形態と同じである。
【００４７】
この変形例２に係る中敷き部材１０Ｃによっても、中敷き部材１０Ｃの一部に人工鉱石を含ませることにより、前述の第１実施形態と同様に健康の維持増進及び安全性の向上を図ることができる。そして、長時間の立ち仕事に従事する看護師のためのナースシューズまたはナースサンダルや、ランニングシューズ、ウォーキングシューズ、野球のスパイクシューズ、サッカーシューズ、バスケットシューズ、テニスシューズ、その他のスポーツシューズ、などに用いることで、顕著な効果を発揮することができる。
【００４８】
更に、中敷き部材１０Ｃは、上部中敷き１１と中央中敷き１２との間、および中央中敷き１２と下部中敷き１３との間に、それぞれ鉱石シート１５を介在させたことから、人工鉱石ＭＳの含有量の異なる別種の中敷きを製作することなく中敷き部材中の人工鉱石ＭＳの量を増加させることができると共に、人工鉱石ＭＳを含有する鉱石シート１５が擦り減り劣化することを防ぐことができる。その結果、余計な製造工程をなくし、製造コストを抑制しつつ人工鉱石ＭＳの含有量を増加させることができると共に、本変形例が有する健康の維持増進及び安全性の向上などの各効果を長期間にわたり維持することができる。
【００４９】
上記第１実施形態およびその変形例１，２では、人工鉱石ＭＳを、比較的薄めの樹脂シートである厚み１ｍｍ〜２ｍｍの鉱石シート１５のみに含ませたが、中敷き部材１０Ａ，１０Ｂ，１０Ｃ全体に人工鉱石ＭＳを含ませてもよい。ただし、人工鉱石ＭＳは高価な材料であり、人工鉱石ＭＳを含む部分を薄い樹脂シート状にすることにより、人体の健康増進効果を果たしつつ、靴などの履物のコストの低減を図ることができる。
【００５０】
上記第１実施形態およびその変形例１，２における中敷き部材１０Ａ，１０Ｂ，１０Ｃは、必ずしも発泡樹脂体である必要はなく、発泡樹脂体と同程度の弾力性、柔軟性を持ったものであれば、人体の足への負担を軽くすることができ、健康増進という目的に反することはないからである。
【００５１】
［２．第２実施形態］
次に、第２実施形態の履物について説明する。図４は、本発明の第２実施形態に係る履物５０Ａの側面図である。本実施形態の履物５０Ａは、ランニングシューズやウォーキングシューズとして使用される靴である。
【００５２】
図４に示すように、本実施形態の履物５０Ａは、中敷き部材１０と、中敷き部材１０の上部を覆う上部カバー部材２０と、底部材３０とを備えている。そして、本実施形態の中敷き部材１０は、上記第１実施形態およびその変形例１，２における中敷き部材１０Ａ，１０Ｂ，１０Ｃのいずれかの構造を有しており、中敷き部材１０の一部に、人工鉱石ＭＳを含む鉱石シート１５（図示せず）が挿入されている。
【００５３】
そして、上述のとおり、中敷き部材１０の鉱石シート１５中の人工鉱石ＭＳによるテラヘルツ波の発生作用により、長期間のランニングやジョギングやウォーキングによる足の疲労を和らげ、あるいは、足の変形や損傷をなくすなど、健康の増進に寄与することができる。更には、雪や氷の分子などをテラヘルツ波（遠赤外線）により運動させ、そのエネルギーを熱として放出させることで、融雪時間の短縮化を図ることができ、路上に積もった雪などを効率的に溶かすことで、図４中の部分拡大図に示すように、靴底の凸部と雪が溶けたことによって形成される凹部とが係着し、滑ることがなくなる。その結果、滑って転倒することがなくなり、雪道などでの転倒を防止するという安全対策の向上にも寄与することができる。
【００５４】
この第２実施形態では、本発明の履物がランニングシューズやウォーキングシューズである場合について説明したが、本発明の履物は、野球のスパイクシューズ、サッカーシューズ、バスケットシューズ、テニスシューズ、その他のスポーツシューズ、などであっても、顕著な効果を発揮することができる。また、通勤シューズ、ウォーキングシューズ、安全靴などの種類を問わず、革靴の中敷き部材として用いることによっても、健康増進効果を発揮することができる。また、本発明の履物は、靴だけでなく、サンダル、スリッパ、ぞうり、ブーツなど、あらゆる履物に適用することができる。
【００５５】
［３．第３実施形態］
第３実施形態では、上記実施形態とは異なる履物について説明する。図５は、本発明の第３実施形態に係る履物５０Ｂの側面図である。本実施形態の履物５０Ｂは、ナースサンダルとして使用される靴である。
【００５６】
本実施形態の履物５０Ｂは、図５に示すように、下部中敷き１３の上に鉱石シート１５を貼り合わせてなる第１実施形態の中敷き部材１０Ａと、中敷き部材１０の上方で足の先端を止める前部固定具２１と、足のかかと付近を止める後部固定具２２と、底部材３０とを備えている。
【００５７】
そして、上述のとおり、中敷き部材１０の鉱石シート１５中の人工鉱石ＭＳによるテラヘルツ波の作用により、長期間のランニングやジョギングやウォーキングによる足の疲労を和らげ、あるいは、足の変形や損傷をなくすなど、健康の増進に寄与でき、更には、図５中の部分拡大図に示すように、靴底の凸部と雪が溶けたことによって形成される凹部とが係着し、滑ることがなくなることから、雪道などでの転倒防止などの安全性の向上にも寄与することができる。
【００５８】
［３．１．使用テスト］
本実施形態のナースサンダルについて、試作品を４０足作成し、４０人の看護師に約１ヶ月間、着用するテストを実施した。その結果、ほぼ全員から着用による健康増進効果があるという回答が得られ、具体的に、疲労が少ない、疲労がとれるために外反母趾が改善される、足のむくみがとれる、といった顕著な健康増進効果があることが判明した。
【００５９】
本実施形態では、本発明の履物５０Ｂを、ナースサンダルに適用した例について説明したが、ナースシューズに適用しても、同様の健康増進効果が得られる。
【００６０】
上記に開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００６１】
本発明の履物の中敷き部材は、ナースシューズまたはナースサンダル、各種スポーツシューズ、通勤用靴、各種サンダル、スリッパ、ぞうり、ブーツなどの履物の中敷き部材として利用することができる。
【符号の説明】
【００６２】
ＭＳ  人工鉱石
ＢＬ  気泡
ＲＳ  発泡樹脂
１０（１０Ａ，１０Ｂ，１０Ｃ）  中敷き部材
１１  上部中敷き
１２  中央中敷き
１３  下部中敷き
１５  鉱石シート
２０  上部カバー部材
２１  前部固定具
２２  後部固定具
３０  底部材
５０（５０Ａ，５０Ｂ）  履物
【図１】
2010200784.tif 000003
【図２】
2010200784.tif 000004
【図３】
2010200784.tif 000005
【図４】
2010200784.tif 000006
【図５】
2010200784.tif 000007